(57)【要約】  本発明は、ＩＤ情報処理方法、装置、基地局およびユーザ機器を開示する。当該方法において、アクセス中のネットワークにサポートされるすべてのサービスプロバイダのＩＤのＩＤ集合の部分集合であるＩＤ部分集合を基地局から少なくとも１つ取得することと、取得した前記少なくとも１つのＩＤ部分集合に基づいて、現在の所属する基地局にサポートされるアクセスのサービスプロバイダ情報を決定することと、サービスプロバイダ情報に基づいて、アクセス予定となるサービスプロバイダを選択することとを含む。【選択図】図１
2019507528.tif 000002
【特許請求の範囲】
【請求項１】
ユーザ機器に応用されるＩＤ情報処理方法において、
アクセス中のネットワークにサポートされるすべてのサービスプロバイダのＩＤのＩＤ集合の部分集合であるＩＤ部分集合を基地局から少なくとも１つ取得することと、
取得した前記少なくとも１つのＩＤ部分集合に基づいて、現在の所属する基地局にサポートされるアクセスのサービスプロバイダ情報を決定することと、
前記サービスプロバイダ情報に基づいて、アクセス予定となるサービスプロバイダを選択することとを含むＩＤ情報処理方法。
【請求項２】
前記のＩＤ部分集合を基地局から少なくとも１つ取得することは、
ＩＤ部分集合が搬送されるシステム情報ブロックを、同一のアクセスネットワークに属する異なる基地局から取得することを含み、ここで、異なるＩＤ部分集合が異なるシステム情報ブロックにマッピングされる請求項１に記載のＩＤ情報処理方法。
【請求項３】
ＩＤ部分集合を基地局から少なくとも１つ取得することは、
基地局から空きチャネルリソースを介して送信される少なくとも１つのＩＤ部分集合を取得することを含む請求項１に記載のＩＤ情報処理方法。
【請求項４】
基地局から空きチャネルリソースを介して送信される少なくとも１つのＩＤ部分集合を取得することは、
ＩＤ部分集合が搬送されるシステム情報ブロックを、現在の所属する基地局から異なる空きサブキャリアを介して受信することを含み、ここで、異なるＩＤ部分集合が異なるシステム情報ブロックにマッピングされ、異なる空きサブキャリアに伝送されるシステム情報ブロックが異なる請求項３に記載のＩＤ情報処理方法。
【請求項５】
基地局から空きチャネルリソースを介して送信される少なくとも１つのＩＤ部分集合を取得することは、
ＩＤ部分集合が搬送されるシステム情報ブロックを、現在の所属する基地局から異なる空きサブフレームを介して受信することを含み、ここで、異なるＩＤ部分集合が異なるシステム情報ブロックにマッピングされ、異なる空きサブフレームに伝送されるシステム情報ブロックが異なる請求項３または４に記載のＩＤ情報処理方法。
【請求項６】
前記サービスプロバイダ情報に基づいて、アクセス予定となるサービスプロバイダを選択することは、
前記ユーザ機器のアクセス予定となるサービスプロバイダが存在するか、前記サービスプロバイダ情報から検索することと、
存在しない場合、放送されていないＩＤ情報の存在がシステム情報ブロックによって示されると、対応するサービスプロバイダを問い合わせるように現在の所属する基地局に要求してアクセスすることとを含む請求項１〜５のいずれか一項に記載のＩＤ情報処理方法。
【請求項７】
前記サービスプロバイダ情報に基づいて、アクセス予定となるサービスプロバイダを選択することは、
前記ユーザ機器のアクセス予定となるサービスプロバイダが存在するか、前記サービスプロバイダ情報から検索することと、
存在しない場合、取得したシステム情報ブロック数がシステム情報ブロックの送信総数より小さいとき、対応するサービスプロバイダを問い合わせるように現在の所属する基地局に要求してアクセスすることとを含む請求項１〜５のいずれか一項に記載のＩＤ情報処理方法。
【請求項８】
取得した前記少なくとも１つのＩＤ部分集合に基づいて、現在の所属する基地局にサポートされるアクセスのサービスプロバイダ情報を決定することは、
取得した少なくとも１つのＩＤ部分集合の和集合を、前記サービスプロバイダ情報として決定することを含む請求項１〜７のいずれか一項に記載のＩＤ情報処理方法。
【請求項９】
前記ＩＤ部分集合は、１つまたは複数のサービスプロバイダＩＤを含む請求項１〜８のいずれか一項に記載のＩＤ情報処理方法。
【請求項１０】
基地局に応用されるＩＤ情報処理方法において、
アクセス中のネットワークにサポートされるすべてのサービスプロバイダのＩＤからなるＩＤ集合を取得することと、
前記ＩＤ集合を複数のＩＤ部分集合に区分することと、
前記複数のＩＤ部分集合のうちの少なくとも１つを、前記基地局のカバー範囲内のユーザ機器に提供することとを含むＩＤ情報処理方法。
【請求項１１】
複数のＩＤ部分集合のうちの少なくとも１つを、前記基地局のカバー範囲内のユーザ機器に提供することは、
複数のＩＤ部分集合のうちの少なくとも１つを、空きチャネルリソースを介して前記基地局のカバー範囲内のユーザ機器に送信することを含む請求項１０に記載のＩＤ情報処理方法。
【請求項１２】
複数のＩＤ部分集合のうちの少なくとも１つを、空きチャネルリソースを介して前記基地局のカバー範囲内のユーザ機器に送信することは、
１つのＩＤ部分集合が１つのシステム情報ブロックにマッピングされ、異なるＩＤ部分集合が異なるシステム情報ブロックにマッピングされるように、複数のＩＤ部分集合のうちの少なくとも１つを、対応するシステム情報ブロックにマッピングすることと、
ＩＤ部分集合が搬送されるシステム情報ブロックを、空きチャネルリソースを介して前記基地局のカバー範囲内のユーザ機器に送信することとを含む請求項１１に記載のＩＤ情報処理方法。
【請求項１３】
ＩＤ部分集合が搬送されるシステム情報ブロックを、空きチャネルリソースを介して前記基地局のカバー範囲内のユーザ機器に送信することは、
占有されていない空きサブキャリアを決定することと、
それぞれ異なるシステム情報ブロックが伝送される空きサブキャリアの１つに１つのシステム情報ブロックがマッピングされるように、ＩＤ部分集合が搬送されるシステム情報ブロックを対応する空きサブキャリアにマッピングし、前記基地局のカバー範囲内のユーザ機器に送信することとを含む請求項１２に記載のＩＤ情報処理方法。
【請求項１４】
ＩＤ部分集合が搬送されるシステム情報ブロックを、空きチャネルリソースを介して前記基地局のカバー範囲内のユーザ機器に送信することは、
占有されていない空きサブフレームを決定することと、
それぞれ異なるシステム情報ブロックが伝送される空きサブフレームの１つに１つのシステム情報ブロックがマッピングされるように、ＩＤ部分集合が搬送されるシステム情報ブロックを対応する空きサブフレームにマッピングし、前記基地局のカバー範囲内のユーザ機器に送信することとを含む請求項１２または１３に記載のＩＤ情報処理方法。
【請求項１５】
前記システム情報ブロックには、システム情報ブロックの送信総数がさらに付帯されている請求項１２〜１４のいずれか一項に記載のＩＤ情報処理方法。
【請求項１６】
問い合わせ回数が一定の閾値より大きいサービスプロバイダのＩＤ情報を前記ユーザ機器に放送することをさらに含む請求項１０〜１５のいずれか一項に記載のＩＤ情報処理方法。
【請求項１７】
ユーザ機器に応用されるＩＤ情報処理装置において、
アクセス中のネットワークにサポートされるすべてのサービスプロバイダのＩＤのＩＤ集合の部分集合であるＩＤ部分集合を基地局から少なくとも１つ取得するための取得モジュールと、
前記取得モジュールで取得した前記少なくとも１つのＩＤ部分集合に基づいて、現在の所属する基地局にサポートされるアクセスのサービスプロバイダ情報を決定するための決定モジュールと、
前記決定モジュールで決定した前記サービスプロバイダ情報に基づいて、アクセス予定となるサービスプロバイダを選択するための処理モジュールとを含むＩＤ情報処理装置。
【請求項１８】
基地局に応用されるＩＤ情報処理装置において、
アクセス中のネットワークにサポートされるすべてのサービスプロバイダのＩＤからなるＩＤ集合を取得するための取得モジュールと、
前記取得モジュールで取得した前記ＩＤ集合を複数のＩＤ部分集合に区分するための区分モジュールと、
前記区分モジュールで区分した前記複数のＩＤ部分集合のうちの少なくとも１つを、前記基地局のカバー範囲内のユーザ機器に提供するための送信モジュールとを含むＩＤ情報処理装置。
【請求項１９】
アクセス中のネットワークにサポートされるすべてのサービスプロバイダのＩＤのＩＤ集合の部分集合であるＩＤ部分集合を基地局から少なくとも１つ取得するための受信機と、
前記受信機に接続され、前記受信機で取得した前記少なくとも１つのＩＤ部分集合に基づいて、現在の所属する基地局にサポートされるアクセスのサービスプロバイダ情報を決定することと、前記サービスプロバイダ情報に基づいて、アクセス予定となるサービスプロバイダを選択することとを実現するためのプロセッサと
を含むユーザ機器。
【請求項２０】
アクセス中のネットワークにサポートされるすべてのサービスプロバイダのＩＤからなるＩＤ集合を取得することと、前記ＩＤ集合を複数のＩＤ部分集合に区分することとを実現するためのプロセッサと、
前記プロセッサに接続され、前記プロセッサで区分した前記複数のＩＤ部分集合のうちの少なくとも１つを、前記基地局のカバー範囲内のユーザ機器に提供するための送信機と
を含む基地局。
【発明の詳細な説明】
【技術分野】
【０００１】
本願は、２０１６年３月２９日に中国特許庁に提出された中国特許出願２０１６１０１８８７８８．２（発明の名称：ＩＤ情報処理方法、装置、基地局およびユーザ機器）の優先権を主張し、その全ての内容が援用により本願に取り込まれる。
【０００２】
本発明は、無線通信分野に係り、特にＩＤ情報処理方法、装置、基地局およびユーザ機器に係る。
【背景技術】
【０００３】
移動通信システムとは、事業者が無線アクセスネットワーク機器（例えば基地局）とコアネットワーク機器（例えばＨＬＲ（Ｈｏｍｅ  Ｌｏｃａｔｉｏｎ  Ｒｅｇｉｓｔｅｒ））などを配置することによってユーザ機器（例えば携帯電話）に通信サービスを提供するシステムである。
【０００４】
移動通信は、第１世代、第２世代、第３世代、第４世代を経ている。第１世代の移動通信とは、最初のアナログで音声通話のみのセルラー電話規格であり、主にアナログ技術とＦＤＭＡ（Ｆｒｅｑｕｅｎｃｙ  Ｄｉｖｉｓｉｏｎ  Ｍｕｌｔｉｐｌｅ  Ａｃｃｅｓｓ）のアクセス方法が用いられた。第２世代の移動通信は、デジタル技術の導入によって、ネットワーク容量が向上し、音声の品質と秘密性が改善され、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）とＣＤＭＡ（Ｃｏｄｅ  Ｄｉｖｉｓｉｏｎ  Ｍｕｌｔｉｐｌｅ  Ａｃｃｅｓｓ）  ＩＳ−９５がその代表である。第３世代の移動通信は、主にＣＤＭＡ２０００、ＷＣＤＭＡ、ＴＤ−ＳＣＤＭＡの３種類の技術を指し、いずれもＣＤＭＡをアクセス技術としている。第４世代の移動通信は、その規格が国際的に相対的に統一されており、３ＧＰＰが策定したＬＴＥ／ＬＴＥ−Ａ（Ｌｏｎｇ  Ｔｅｒｍ  Ｅｖｏｌｕｔｉｏｎ／Ｌｏｎｇ  Ｔｅｒｍ  Ｅｖｏｌｕｔｉｏｎ−Ａｄｖａｎｃｅｄ）であり、そのダウンリンクがＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に基づき、アップリンクがＳＣ−ＦＤＭＡ（Ｓｉｎｇｌｅ  Ｃａｒｒｉｅｒ−  Ｆｒｅｑｕｅｎｃｙ  Ｄｉｖｉｓｉｏｎ  Ｍｕｌｔｉｐｌｅ  Ａｃｃｅｓｓ）のアクセス方式に基づき、順応的な帯域幅と適応的な変調符号化方式によってダウンリンクピークレート１Ｇｂｐｓ、アップリンクピークレート５００Ｍｂｐｓの高速伝送が達成される。
【０００５】
ＭｕｌｔｅＦｉｒｅは、ＬＴＥ  Ｒ１３  ＬＡＡダウンリンク伝送方法を基に新しく定義されるアップリンク伝送方法であり、しかもアンライセンスバンドで独立に動作できるＬＴＥ技術であり、すなわち、ｓｔａｎｄ−ａｌｏｎｅ  ＬＴＥ−Ｕである。ＭｕｌｔｅＦｉｒｅ（ＭＦと略称する）は、ＰＬＭＮ（Ｐｕｂｌｉｃ  Ｌａｎｄ  Ｍｏｂｉｌｅ  Ｎｅｔｗｏｒｋ）アクセス方式とＮＨＮ（Ｎｅｕｔｒａｌ  Ｈｏｓｔ  Ｎｅｔｗｏｒｋ）アクセス方式の２種類のアクセスネットワーク方式またはネットワークサービスをサポートする。
【０００６】
ＮＨＮ方式のネットワークにおいて、例えばＳＩＢＭＦ１（ＳｙｓｔｅｍＩｎｆｏｒｍａｔｉｏｎ  ＢｌｏｃｋＴｙｐｅＭＦ１）でＰＳＰ−ＩＤ（Ｐａｒｔｉｃｉｐａｔｉｎｇ  Ｓｅｒｖｉｃｅ  Ｐｒｏｖｉｄｅｒ  ＩＤ）を放送することによって異なるビジネスプロバイダに指示する。１つのＮＨＮ方式のＭＦネットワークでは、複数のＰＳＰ−ＩＤがサポートされることによって、複数のビジネスプロバイダが当該ＭＦネットワークを共有してサービスを提供することがサポートされる。システム情報ブロックのサイズに制限されるため、放送されるＰＳＰ−ＩＤ（例えば短形式ＰＳＰ−ＩＤ）の数が制限される。ＮＨＮ方式のＭＦネットワークでより多くのＰＳＰ−ＩＤがサポートされる場合、ＰＳＰ−ＩＤをすべて放送することができず、未放送ＰＳＰ−ＩＤの存在をＳＩＢＭＦ１の識別子で指示する必要がある。ＵＥは、システム情報ブロックから対応するＰＳＰ−ＩＤを見つけなくて未放送ＰＳＰ−ＩＤの存在が分かると、さらに未放送ＰＳＰ−ＩＤについて問い合わせ操作で基地局に問い合わせる可能性がある。基地局は、問い合わせ要求に応じて、未放送ＰＳＰ−ＩＤをユニキャストによってＵＥに通知する。同時に複数のＵＥアクセス希望先となるＰＳＰ−ＩＤが基地局によるシステム情報ブロックの放送に存在しない場合、基地局は、未放送ＰＳＰ−ＩＤの問い合わせに応答し、問い合わせて得た残りの未放送ＰＳＰ−ＩＤ情報を複数のＵＥにそれぞれ送信する必要があるが、大量のダウンリンクリソースを占有することになる。
【発明の概要】
【発明が解決しようとする課題】
【０００７】
本発明は、サービスプロバイダＩＤの放送数が少ないためユーザ機器による未放送サービスプロバイダＩＤの問い合わせが大量に発生してシステムリソースコストが大きすぎる問題を解決するＩＤ情報処理方法、装置、基地局およびユーザ機器を提供する。
【課題を解決するための手段】
【０００８】
本発明の一態様として、ユーザ機器に応用されるＩＤ情報処理方法を提供する。当該方法は、アクセス中のネットワークにサポートされるすべてのサービスプロバイダのＩＤのＩＤ集合の部分集合であるＩＤ部分集合を基地局から少なくとも１つ取得することと、取得した前記少なくとも１つのＩＤ部分集合に基づいて、現在の所属する基地局にサポートされるアクセスのサービスプロバイダ情報を決定することと、サービスプロバイダ情報に基づいて、アクセス予定となるサービスプロバイダを選択することとを含む。
【０００９】
選択可能に、取得した前記少なくとも１つのＩＤ部分集合に基づいて、現在の所属する基地局にサポートされるアクセスのサービスプロバイダ情報を決定することは、取得した少なくとも１つのＩＤ部分集合の和集合を、前記サービスプロバイダ情報として決定することを含む。
【００１０】
選択可能に、ＩＤ部分集合を基地局から少なくとも１つ取得することは、ＩＤ部分集合が搬送されるシステム情報ブロックを、同一のアクセスネットワークに属する異なる基地局から取得することを含み、ここで、異なるＩＤ部分集合が異なるシステム情報ブロックにマッピングされる。
【００１１】
選択可能に、ＩＤ部分集合を基地局から少なくとも１つ取得することは、基地局から空きチャネルリソースを介して送信される少なくとも１つのＩＤ部分集合を取得することを含む。
【００１２】
さらに、ＩＤ部分集合が搬送されるシステム情報ブロックを、現在の所属する基地局から異なる空きサブキャリアを介して受信することを含み、ここで、異なるＩＤ部分集合が異なるシステム情報ブロックにマッピングされ、異なる空きサブキャリアに伝送されるシステム情報ブロックが異なる。
【００１３】
さらに、ＩＤ部分集合が搬送されるシステム情報ブロックを、現在の所属する基地局から異なる空きサブフレームを介して受信することを含み、ここで、異なるＩＤ部分集合が異なるシステム情報ブロックにマッピングされ、異なる空きサブフレームに伝送されるシステム情報ブロックが異なる。
【００１４】
選択可能に、前記サービスプロバイダ情報に基づいて、アクセス予定となるサービスプロバイダを選択することは、前記ユーザ機器のアクセス予定となるサービスプロバイダが存在するか、前記サービスプロバイダ情報から検索することと、存在しない場合、放送されていないＩＤ情報の存在がシステム情報ブロックによって示されると、対応するサービスプロバイダを問い合わせるように現在の所属する基地局に要求してアクセスすることとを含む。
【００１５】
選択可能に、前記サービスプロバイダ情報に基づいて、アクセス予定となるサービスプロバイダを選択することは、前記ユーザ機器のアクセス予定となるサービスプロバイダが存在するか、前記サービスプロバイダ情報から検索することと、存在しない場合、取得したシステム情報ブロック数がシステム情報ブロックの送信総数より小さいとき、対応するサービスプロバイダを問い合わせるように現在の所属する基地局に要求してアクセスすることとを含む。
【００１６】
選択可能に、前記ＩＤ部分集合は、１つまたは複数のサービスプロバイダＩＤを含む。
【００１７】
本発明のもう１つの態様として、基地局に応用されるＩＤ情報処理方法を提供する。当該方法は、アクセス中のネットワークにサポートされるすべてのサービスプロバイダのＩＤからなるＩＤ集合を取得することと、ＩＤ集合を複数のＩＤ部分集合に区分することと、複数のＩＤ部分集合のうちの少なくとも１つを、基地局のカバー範囲内のユーザ機器に提供することとを含む。
【００１８】
選択可能に、複数のＩＤ部分集合のうちの少なくとも１つを、前記基地局のカバー範囲内のユーザ機器に提供することは、複数のＩＤ部分集合のうちの少なくとも１つを、空きチャネルリソースを介して前記基地局のカバー範囲内のユーザ機器に送信することを含む。
【００１９】
さらに、複数のＩＤ部分集合のうちの少なくとも１つを、空きチャネルリソースを介して前記基地局のカバー範囲内のユーザ機器に送信することは、１つのＩＤ部分集合が１つのシステム情報ブロックにマッピングされ、異なるＩＤ部分集合が異なるシステム情報ブロックにマッピングされるように、複数のＩＤ部分集合のうちの少なくとも１つを、対応するシステム情報ブロックにマッピングすることと、ＩＤ部分集合が搬送されるシステム情報ブロックを、空きチャネルリソースを介して前記基地局のカバー範囲内のユーザ機器に送信することとを含む。
【００２０】
さらに、ＩＤ部分集合が搬送されるシステム情報ブロックを、空きチャネルリソースを介して前記基地局のカバー範囲内のユーザ機器に送信することは、占有されていない空きサブキャリアを決定することと、それぞれ異なるシステム情報ブロックが伝送される空きサブキャリアの１つに１つのシステム情報ブロックがマッピングされるように、ＩＤ部分集合が搬送されるシステム情報ブロックを対応する空きサブキャリアにマッピングし、前記基地局のカバー範囲内のユーザ機器に送信することとを含む。
【００２１】
さらに、ＩＤ部分集合が搬送されるシステム情報ブロックを、空きチャネルリソースを介して前記基地局のカバー範囲内のユーザ機器に送信することは、占有されていない空きサブフレームを決定することと、それぞれ異なるシステム情報ブロックが伝送される空きサブフレームの１つに１つのシステム情報ブロックがマッピングされるように、ＩＤ部分集合が搬送されるシステム情報ブロックを対応する空きサブフレームにマッピングし、前記基地局のカバー範囲内のユーザ機器に送信することとを含む。
【００２２】
選択可能に、前記システム情報ブロックには、システム情報ブロックの送信総数がさらに付帯されている。
【００２３】
選択可能に、前記ＩＤ部分集合は、１つまたは複数のサービスプロバイダＩＤを含む。
【００２４】
本発明のもう１つの態様として、ユーザ機器に応用されるＩＤ情報処理装置を提供する。当該装置は、アクセス中のネットワークにサポートされるすべてのサービスプロバイダのＩＤのＩＤ集合の部分集合であるＩＤ部分集合を基地局から少なくとも１つ受信するための取得モジュールと、前記取得モジュールで取得した前記少なくとも１つのＩＤ部分集合に基づいて、現在の所属する基地局にサポートされるアクセスのサービスプロバイダ情報を決定するための決定モジュールと、前記決定モジュールで決定したサービスプロバイダ情報に基づいて、アクセス予定となるサービスプロバイダを選択するための処理モジュールとを含む。
【００２５】
本発明のもう１つの態様として、基地局に応用されるＩＤ情報処理装置を提供する。当該装置は、アクセス中のネットワークにサポートされるすべてのサービスプロバイダのＩＤからなるＩＤ集合を取得するための取得モジュールと、前記取得モジュールで取得したＩＤ集合を複数のＩＤ部分集合に区分するための区分モジュールと、前記区分モジュールで区分した前記複数のＩＤ部分集合のうちの少なくとも１つを、チャネルリソースを介して基地局のカバー範囲内のユーザ機器に提供するための送信モジュールとを含む。
【００２６】
本発明のもう１つの態様として、アクセス中のネットワークにサポートされるすべてのサービスプロバイダのＩＤのＩＤ集合の部分集合であるＩＤ部分集合を基地局から少なくとも１つ取得するための受信機と、受信機に接続され、前記受信機で取得した前記少なくとも１つのＩＤ部分集合に基づいて、現在の所属する基地局にサポートされるアクセスのサービスプロバイダ情報を決定することと、サービスプロバイダ情報に基づいて、アクセス予定となるサービスプロバイダを選択することとを実現するためのプロセッサとを含むユーザ機器を提供する。
【００２７】
本発明のもう１つの態様として、アクセス中のネットワークにサポートされるすべてのサービスプロバイダのＩＤからなるＩＤ集合を取得することと、ＩＤ集合を複数のＩＤ部分集合に区分することとを実現するためのプロセッサと、プロセッサに接続され、前記プロセッサで区分した前記複数のＩＤ部分集合のうちの少なくとも１つを、基地局のカバー範囲内のユーザ機器に提供するための送信機とを含む基地局を提供する。
【発明の効果】
【００２８】
すべてのサービスプロバイダＩＤを複数のＩＤ部分集合に区分し、１つまたは複数のＩＤ部分集合をユーザ機器に提供することによって、ユーザ機器がなるべく多くのサービスプロバイダＩＤを受信するようにする。それによって、サービスプロバイダＩＤの放送数が少ないためユーザ機器による未放送サービスプロバイダＩＤの問い合わせが大量に発生してシステムリソースコストが大きすぎる問題を回避する。
【図面の簡単な説明】
【００２９】
【図１】図１は、本発明の一部実施例のＩＤ情報処理方法のフローチャートである。
【図２】図２は、本発明の一部実施例のＩＤ情報処理方法のフローチャートである。
【図３】図３は、本発明の一部実施例のＩＤ情報処理方法のフローチャートである。
【図４】図４は、本発明の一部実施例のＩＤ情報処理装置の模式的ブロック図である。
【図５】図５は、本発明の一部実施例の基地局の構造的ブロック図である。
【図６】図６は、本発明の一部実施例のＩＤ情報処理方法のフローチャートである。
【図７】図７は、本発明の一部実施例のＩＤ情報処理方法のフローチャートである。
【図８】図８は、本発明の一部実施例のＩＤ情報処理方法のフローチャートである。
【図９】図９は、本発明の一部実施例のＩＤ情報処理装置の構造的ブロック図である。
【図１０】図１０は、本発明の一部実施例のユーザ機器の構造的ブロック図である。
【図１１】図１１は、本発明の一部実施例のＩＤ情報処理方法のやり取りのフローチャートである。
【発明を実施するための形態】
【００３０】
以下、図面を参照して本発明の例示的な実施例をさらに詳細に記載する。本発明の例示的な実施例を図面に示しているが、本発明は、ここで説明した実施例に限定されることなく様々な形態で実現されうることが理解されるべきである。これらの実施例を示すことは、本発明をより徹底的に理解してもらい、本発明の範囲を当業者に全面的に伝えるためである。
【００３１】
本発明の実施例において、ユーザ機器（Ｕｓｅｒ  Ｅｑｕｉｐｍｅｎｔ；ＵＥと略称する）は、端末（Ｔｅｒｍｉｎａｌ）、移動局（Ｍｏｂｉｌｅ  Ｓｔａｔｉｏｎ；ＭＳと略称する）、移動端末（Ｍｏｂｉｌｅ  Ｔｅｒｍｉｎａｌ）などと称されてもよく、例えば移動電話（またはセルラー電話）、移動端末を有するコンピュータなどであり、さらに携帯型、ポータブル型、ハンドヘルド型、コンピュータ内蔵の移動装置であってもよい。
【００３２】
本発明は、ＮＨＮ方式のＭＦネットワークでより多くのＰＳＰ−ＩＤがサポートされる場合、ＰＳＰ−ＩＤをすべて放送することができず、未放送ＰＳＰ−ＩＤの存在をシステム情報ブロックの識別子で指示する必要があるという従来技術に対して為される。ＵＥは、システム情報ブロックから対応するＰＳＰ−ＩＤを見つけなくて未放送ＰＳＰ−ＩＤの存在が分かると、さらに未放送ＰＳＰ−ＩＤについて問い合わせ操作で基地局に問い合わせる可能性がある。基地局は、問い合わせ要求に応じて、未放送ＰＳＰ−ＩＤをユニキャストによってＵＥに通知する。同時に複数のＵＥアクセス希望先となるＰＳＰ−ＩＤが基地局によるシステム情報ブロックの放送に存在しない場合、基地局は、未放送ＰＳＰ−ＩＤの問い合わせに応答し、問い合わせて得た残りの未放送ＰＳＰ−ＩＤ情報を複数のＵＥにそれぞれ送信する必要があるが、大量のダウンリンクリソースを占有することになる。本発明の下記実施例において、ＩＤ情報処理方法、装置、基地局およびユーザ機器を提供し、すべてのサービスプロバイダＩＤを複数のＩＤ部分集合に区分し、１つまたは複数のＩＤ部分集合をユーザ機器に提供することによって、ユーザ機器がなるべく多くのサービスプロバイダＩＤを受信するようにする。それによって、ユーザ機器の問い合わせ確率を低くし、必要のないシステムリソースコストを回避する。図１に示すように、本発明の実施例によるＩＤ情報処理方法は、具体的に下記ステップを含む。
【００３３】
ステップ１１において、アクセス中のネットワークにサポートされるすべてのサービスプロバイダのＩＤからなるＩＤ集合を取得する。
【００３４】
ここで、アクセス中のネットワークは、具体的にＮＨＮアクセスネットワークを指し、サービスプロバイダは、ビジネスサービスプロバイダを指し、事業者または他のタイプのビジネスサービスプロバイダである。異なるサービスプロバイダは、異なる身分情報を有し、異なるサービスプロバイダに異なるＩＤ情報を有すると言ってもよい。基地局のアクセス中のＮＨＮネットワークにサポートされるすべてのサービスプロバイダのＩＤを１つのＩＤ集合に統合する。
【００３５】
ステップ１２において、ＩＤ集合を複数のＩＤ部分集合に区分する。
【００３６】
上記ＩＤ集合を、所定のアルゴリズムに従い、複数のＩＤ部分集合に区分する。具体的なＩＤ部分集合の数および各ＩＤ部分集合におけるサービスプロバイダＩＤの数は、具体的なアルゴリズムに基づいて決定される。異なるＩＤ部分集合におけるサービスプロバイダＩＤの数は、同一であってもよく異なってもよい。本実施例において、部分集合の区分について、具体的なアルゴリズムを限定しない。ＩＤ集合を、それぞれサービスプロバイダＩＤが重ならず、和集合がなるべくＩＤ集合の全集合に近いＮｕｍ（１より大きい整数）個のＩＤ部分集合に一定的に区分してもよい。または、ＩＤ集合を、それぞれサービスプロバイダＩＤが重なってもよい複数のＩＤ部分集合にランダムに区分してもよい。他の区分方式であってもよい。なお、ＩＤ部分集合における具体的なサービスプロバイダＩＤについて限定せず、すなわちサービスプロバイダＩＤリストにおける具体的なサービスプロバイダＩＤの組み合わせについて限定しない。
【００３７】
ステップ１３において、複数のＩＤ部分集合のうちの少なくとも１つを基地局のカバー範囲内のユーザ機器に提供する。
【００３８】
基地局は、ＩＤ集合の複数のＩＤ部分集合の少なくとも１つを、基地局のカバー範囲内のユーザ機器に提供する。ここでは、特に、複数のＩＤ部分集合のうちの２つ以上をユーザ機器に送信することを指す。このように、ユーザ機器の受信可能なサービスプロバイダＩＤの数がなるべく多くなり、ユーザ機器による問い合わせの発生確率を低くしてシステムリソースコストを節約する。基地局に放送されるサービスプロバイダＩＤの数が少ないことに起因してユーザ機器による未放送のサービスプロバイダＩＤの問い合わせが大量に発生してシステムリソースコストが大き過ぎるという問題を回避する。
【００３９】
図２に示すように、本発明の実施例によるＩＤ情報処理方法は、具体的に下記ステップを含む。
【００４０】
ステップ２１において、アクセス中のネットワークにサポートされるすべてのサービスプロバイダのＩＤからなるＩＤ集合を取得する。
【００４１】
ステップ２２において、ＩＤ集合を複数のＩＤ部分集合に区分する。
【００４２】
ステップ２３において、複数のＩＤ部分集合のうちの少なくとも１つを、空きチャネルリソースを介して基地局のカバー範囲内のユーザ機器に提供する。
【００４３】
ここでいう空きチャネルリソースは、少なくとも、空き時領域リソース、空き周波数領域リソースまたはそれ以外の空きチャネルリソースを含む。なお、アクセスネットワークアーキテクチャー全体にとって、同一のネットワークには、複数の異なるエリアの基地局が存在する可能性がある。異なる基地局は、異なるＩＤ部分集合を放送し、すなわち空間分割多重化方式でＩＤ部分集合をユーザ機器に送信することができる。異なる基地局自身も、現在の空き時領域リソースまたは周波数領域リソースに基づいて異なるＩＤ部分集合を放送し、すなわち時分割多重化または周波数分割多重化方式でＩＤ部分集合をユーザ機器に送信することができる。単一の基地局にとって、現在の空き時領域リソースまたは周波数領域リソースに基づいて異なるＩＤ部分集合を放送し、すなわち時分割多重化または周波数分割多重化方式でＩＤ部分集合をユーザ機器に送信することができる。
【００４４】
本実施例において、単一の基地局は、自身の空きチャネルリソースを用いて複数のＩＤ部分集合をユーザ機器に送信することによって、サービスプロバイダＩＤの放送数を増やし、ユーザ機器による問い合わせのプロセスを減少させ、必要のないネットワークチャネルコストを節約することができる。
【００４５】
図３に示すように、本発明の実施例によるＩＤ情報処理方法は、具体的に下記ステップを含む。
【００４６】
ステップ３１において、アクセス中のネットワークにサポートされるすべてのサービスプロバイダのＩＤからなるＩＤ集合を取得する。
【００４７】
ステップ３２において、ＩＤ集合を複数のＩＤ部分集合に区分する。
【００４８】
ステップ３３において、１つのＩＤ部分集合が１つのシステム情報ブロックにマッピングされるように、複数のＩＤ部分集合のうちの少なくとも１つを対応するシステム情報ブロックにマッピングする。
【００４９】
ここで、異なるＩＤ部分集合は、異なるシステム情報ブロックにマッピングされる。すなわち、１つのＩＤ部分集合の放送に際し、当該ＩＤ部分集合を１つのシステム情報ブロックにマッピングするが、２つのＩＤ部分集合の放送に際し、当該２つのＩＤ部分集合をそれぞれ異なるシステム情報ブロックにマッピングする。このように、複数のシステム情報ブロックで複数のＩＤ部分集合を搬送することができる。なお、異なるＩＤ部分集合が搬送される異なるシステム情報ブロックに付帯されるほかのシステム情報は、同一であってもよく異なってもよい。さらに、異なるシステム情報ブロックのタイプは、同一であってもよく異なってもよい。
【００５０】
ステップ３４において、ＩＤ部分集合が搬送されるシステム情報ブロックを、空きチャネルリソースを介して、前記基地局のカバー範囲内のユーザ機器に送信する。
【００５１】
ここで、空きチャネルリソースは、空き時領域リソースと空き周波数領域リソースを含む。ＩＤ部分集合が搬送されるシステム情報ブロックを、空き時領域リソースおよび／または空き周波数領域リソースによってユーザ機器に送信する。以下、空き周波数領域リソースのみ、空き周波数領域リソースのみでＩＤ部分集合を送信する応用シチュエーションを説明する。
例１：
【００５２】
占有されていない空きサブキャリアを決定し、それぞれ異なるシステム情報ブロックが伝送される空きサブキャリアの１つに１つのシステム情報ブロックがマッピングされるように、ＩＤ部分集合が搬送されるシステム情報ブロックを対応する空きサブキャリアにマッピングし、基地局のカバー範囲内のユーザ機器に送信する。
【００５３】
基地局ｅＮＢは、複数のキャリア上の伝送をサポートする場合、Ｎ個のチャネル競争に成功したキャリアでシステム情報ブロック（例えばｅＳＩＢであり、すなわちＳＩＢＭＦ１である。）を送信する。ここで各システム情報ブロックに異なるＩＤ部分集合、すなわち短形式ＰＳＰ−ＩＤリストが付帯されている。各短形式ＰＳＰ−ＩＤリストには、最大でＭ個の短形式ＰＳＰ−ＩＤを含む。ｅＮＢがＬ（Ｌ≦Ｎ）個の空きキャリアをモニタリングすると、Ｌ個の空きキャリアで、当該ｅＮＢから放送されるＬ個のシステム情報ブロックを受信し、Ｌ個のキャリアで受信する短形式ＰＳＰ−ＩＤと組み合わせてアクセス中のネットワーク（同一なネットワークＩＤであり、ＮＨＮ−ＩＤ。）にサポートされる短形式ＰＳＰ−ＩＤの集合を得る。ここで、Ｌ、Ｍ、Ｎは、いずれも１以上の整数である。
例２：
【００５４】
占有されていない空きサブフレームを決定し、それぞれ異なるシステム情報ブロックが伝送される空きサブフレームの１つに１つのシステム情報ブロックがマッピングされるように、ＩＤ部分集合が搬送されるシステム情報ブロックを対応する空きサブフレームにマッピングし、基地局のカバー範囲内のユーザ機器に送信する。
【００５５】
同一の基地局ｅＮＢは、異なる空きサブフレーム、すなわちシステム情報ブロックの送信時刻において、異なるＩＤ部分集合、すなわち短形式ＰＳＰ−ＩＤリストを付帯する。例えば、ｅＮＢからシステム情報ブロックｅＳＩＢの送信周期を４０ｍｓ、サービスプロバイダＩＤのＩＤ集合（ＰＳＰ−ＩＤ集合）を２つのＩＤ部分集合に区分すると、第ｎ個の周期の送信タイミングでＩＤ部分集合１、すなわち短形式ＰＳＰ−ＩＤリスト１を送信し、第ｎ＋１個の周期の送信タイミングでＩＤ部分集合２、すなわち短形式ＰＳＰ−ＩＤリスト２を送信し、第ｎ＋２個の周期の送信タイミングでＩＤ部分集合１、すなわち短形式ＰＳＰ−ＩＤリスト１を送信し、第ｎ＋３個の周期の送信タイミングでＩＤ部分集合２、すなわち短形式ＰＳＰ−ＩＤリスト２を送信し、このように類推する。ここで、ｎは、正整数である。例えば、偶数周期でＩＤ部分集合１を、奇数周期でＩＤ部分集合２を送信する。
例３：
【００５６】
占有されていない空きサブフレームを決定し、当該空きサブフレームにおいて、占有されていない空きサブキャリアを決定し、それぞれ異なるシステム情報ブロックが伝送される空きサブキャリアの１つに１つのシステム情報ブロックがマッピングされるように、空きサブフレーム内で、ＩＤ部分集合が搬送されるシステム情報ブロックを対応する空きサブキャリアにマッピングし、基地局のカバー範囲内のユーザ機器に送信する。
【００５７】
同一の基地局ｅＮＢは、異なる空きサブフレーム、すなわちシステム情報ブロックの送信時刻において複数のキャリア上の伝送をサポートする場合、Ｎ個のチャネル競争に成功したキャリアでシステム情報ブロック（例えばｅＳＩＢ）を送信する。ここで各システム情報ブロックに異なるＩＤ部分集合、すなわち短形式ＰＳＰ−ＩＤリストが付帯されている。各短形式ＰＳＰ−ＩＤリストには、最大でＭ個の短形式ＰＳＰ−ＩＤを含む。ｅＮＢによるシステム情報ブロックｅＳＩＢの送信周期を４０ｍｓとし、第ｎ個の周期の送信タイミング内にｅＮＢがＬ１（Ｌ１≦Ｎ）個の空きキャリアをモニタリングすると、Ｌ１個の空きキャリアで、当該ｅＮＢから放送されるＬ１個のシステム情報ブロックを受信し、第ｎ＋１個の周期の送信タイミング内にｅＮＢがＬ２（Ｌ２≦Ｎ）個の空きキャリアをモニタリングすると、Ｌ２個の空きキャリアで、当該ｅＮＢから放送されるＬ２個のシステム情報ブロックを受信し、このように類推する。このように、Ｌ１とＬ２個のキャリアで受信する短形式ＰＳＰ−ＩＤと組み合わせてアクセス中のネットワーク（同一なネットワークＩＤであり、ＮＨＮ−ＩＤ。）にサポートされる短形式ＰＳＰ−ＩＤの集合を得る。ここで、Ｌ１、Ｌ２、Ｍは、いずれも１以上の整数である。
【００５８】
空きサブキャリアおよび／または空きサブフレームによって、異なるシステム情報ブロックをユーザ機器に送信することによって、なるべく多くのＩＤ部分集合（ＰＳＰ−ＩＤリスト）をユーザ機器に送信し、ユーザ機器による問い合わせの発生プロセスを減少させ、必要のないチャネルコストを節約する。
【００５９】
ユーザ機器が複数のＩＤ部分集合を正しく処理するために、基地局から送信されるシステム情報ブロックには、システム情報ブロックの送信総数がさらに付帯されている。さらに、システム情報ブロックによって、異なるＩＤ部分集合（ＰＳＰ−ＩＤリスト）を含み現在のネットワークで送信されるシステム情報ブロックの周波数領域および／または時領域での数を同時に指示することができる。当該指示に基づいて、ユーザ機器は、周波数領域および／または時領域において複数のシステム情報ブロック中のＰＳＰ−ＩＤリストを統合し、現在のネットワークにサポートされるＰＳＰ−ＩＤ集合とする。ユーザ機器が指示個数より少ないシステム情報ブロックを受信すると、一部のＰＳＰ−ＩＤが放送されていないと見なされる。ＵＥが指示個数に等しいシステム情報ブロックを受信し、かつ未放送ＰＳＰ−ＩＤの存在を示すほかの指示（ｉｎｄｉｃａｔｏｒ）がない場合、すべてのサポートされるＰＳＰ−ＩＤが放送されたと見なされる。仮に基地局がＮ個のチャネル競争に成功したキャリアでシステム情報ブロック（例えばｅＳＩＢ）を送信し、ｅＮＢがＬ（Ｌ≦Ｎ）個の空きキャリアをモニタリングすると、Ｌ個の空きキャリアで、当該ｅＮＢから放送されるＬ個のシステム情報ブロックを受信し、システム情報ブロックには、システム情報ブロックの送信総数Ｌが付帯されている。以上、単に周波数分割多重化を例として説明したが、時分割多重化、または時分割多重化と周波数分割多重化の組み合わせの方式でも同様に適用する。
【００６０】
本実施例は、周波数分割多重化および／または時分割多重化の複数種類の異なる応用シチュエーションからＩＤ部分集合の送信方式をそれぞれ紹介した。なるべく多くのＩＤ部分集合をユーザ機器に送信することによって、サービスプロバイダＩＤの放送数を増やし、ユーザ機器による問い合わせのプロセスを減少させ、必要のないネットワークチャネルコストを節約する。
【００６１】
以上の実施例は、基地局側のＩＤ情報処理方法をそれぞれ紹介したが、以下の実施例は、図面とともに、対応するＩＤ情報処理装置をさらに説明する。
【００６２】
具体的に、図４に示すように、本発明の実施例のＩＤ情報処理装置４０は、基地局に応用される装置であって、少なくとも、アクセス中のネットワークにサポートされるすべてのサービスプロバイダのＩＤからなるＩＤ集合を取得するための取得モジュール４１と、ＩＤ集合を複数のＩＤ部分集合に区分するための区分モジュール４２と、複数のＩＤ部分集合のうちの少なくとも１つを、基地局のカバー範囲内のユーザ機器に提供するための送信モジュール４３とを含む。
【００６３】
ここで、送信モジュール４３は、複数のＩＤ部分集合のうちの少なくとも１つを、空きチャネルリソースを介して基地局のカバー範囲内のユーザ機器に提供するための送信サブモジュールを含んでもよい。
【００６４】
ここで、当該送信サブモジュールは、１つのＩＤ部分集合が１つのシステム情報ブロックにマッピングされ、異なるＩＤ部分集合が異なるシステム情報ブロックにマッピングされるように、複数のＩＤ部分集合のうちの少なくとも１つを、対応するシステム情報ブロックにマッピングするためのマッピングユニットと、ＩＤ部分集合が搬送されるシステム情報ブロックを、空きチャネルリソースを介して基地局のカバー範囲内のユーザ機器に送信するための送信ユニットとを含む。
【００６５】
ここで、当該送信ユニットは、占有されていない空きサブキャリアを決定するための第１決定サブユニットと、それぞれ異なるシステム情報ブロックが伝送される空きサブキャリアの１つに１つのシステム情報ブロックがマッピングされるように、ＩＤ部分集合が搬送されるシステム情報ブロックを対応する空きサブキャリアにマッピングし、基地局のカバー範囲内のユーザ機器に送信するための第１送信サブユニットとを含む。
【００６６】
ここで、当該送信ユニットは、占有されていない空きサブフレームを決定するための第２決定サブユニットと、それぞれ異なるシステム情報ブロックが伝送される空きサブフレームの１つに１つのシステム情報ブロックがマッピングされるように、ＩＤ部分集合が搬送されるシステム情報ブロックを対応する空きサブフレームにマッピングし、基地局のカバー範囲内のユーザ機器に送信するための第２送信サブユニットとを含む。
【００６７】
さらに、上記システム情報ブロックには、システム情報ブロックの送信総数がさらに付帯されている。
【００６８】
本発明の当該装置の実施例は、上記方法の実施例に対応する装置であり、上記方法の実施例におけるすべての実現手段がいずれも当該装置の実施例に適用し、しかも同一の技術効果を達成することができる。
【００６９】
上記基地局側に応用されるＩＤ情報処理方法に対応して、本実施例は、対応する基地局を提供する。図５に示すように、当該基地局は、具体的に、メモリに記憶されているデータまたは指令を実行することによって、アクセス中のネットワークにサポートされるすべてのサービスプロバイダのＩＤからなるＩＤ集合を取得することと、ＩＤ集合を複数のＩＤ部分集合に区分することとを実現するためのプロセッサ５１と、プロセッサに接続され、複数のＩＤ部分集合のうちの少なくとも１つを、基地局のカバー範囲内のユーザ機器に提供するための送信機５２とを含む。
【００７０】
ここで、プロセッサは、上記装置の実施例におけるすべてのモジュールで実現される機能を実現するように配置され、上記装置の実施例による同一の技術効果を達成することもできる。ここでは繰り返して記載せず、具体的に上記実施例を参照されたい。
【００７１】
上記実施例は、基地局側から本発明のＩＤ情報処理方法、装置および基地局をそれぞれ紹介したが、以下の本実施例は、対応するユーザ機器側から本発明のＩＤ情報処理方法を紹介する。
【００７２】
図６に示すように、本発明の実施例によるＩＤ情報処理方法は、具体的に下記ステップを含む。
【００７３】
ステップ６１において、ＩＤ部分集合を基地局から少なくとも１つ取得する。
【００７４】
ここで、ＩＤ部分集合は、アクセス中のネットワークにサポートされるすべてのサービスプロバイダのＩＤからなるＩＤ集合の部分集合であり、ＰＳＰ−ＩＤリストと呼ばれてもよい。当該ＩＤ部分集合には、複数のＰＳＰ−ＩＤを含む。さらに、アクセス中のネットワークは、具体的にＮＨＮアクセスネットワークを指し、サービスプロバイダは、ビジネスサービスプロバイダを指し、事業者または他のタイプのビジネスサービスプロバイダであってもよい。異なるサービスプロバイダは、異なる身分情報を有し、異なるサービスプロバイダに異なるＩＤ情報を有すると言ってもよい。基地局のアクセス中のＮＨＮネットワークにサポートされるすべてのサービスプロバイダのＩＤを１つのＩＤ集合に統合する。
【００７５】
ステップ６２において、取得した少なくとも１つのＩＤ部分集合に基づいて、現在の所属する基地局にサポートされるアクセスのサービスプロバイダ情報を決定する。
【００７６】
選択可能に、取得したＩＤ部分集合の和集合を、現在の所属する基地局にサポートされるアクセスのサービスプロバイダ情報として決定する。
【００７７】
具体的に、取得したＩＤ部分集合を、所定のアルゴリズムに従い、和集合を取得することによって、より多くのＰＳＰ−ＩＤを含む集合を得、当該集合を現在の所属する基地局にサポートされるアクセスのサービスプロバイダ情報として決定する。本実施例において、ＩＤ部分集合の和集合を得る具体的なアルゴリズムを限定しない。
【００７８】
ステップ６３において、サービスプロバイダ情報に基づいて、アクセス予定となるサービスプロバイダを選択する。
【００７９】
ユーザ機器ＵＥは、同一ネットワークの複数のＩＤ部分集合におけるサービスプロバイダＩＤに基づいてネットワークの選択を行う。特にＵＥが受信したＩＤ部分集合の数が２以上である場合、複数のＩＤ部分集合の和集合を取得することによって、より多くのサービスプロバイダＩＤを含む集合を得ることができる。これによって、ＵＥが基地局に問い合わせを要求するプロセスを減少させ、必要のないチャネルリソースの無駄使いを節約する。
【００８０】
図７に示すように、本発明の実施例によるＩＤ情報処理方法は、具体的に下記のステップを含む。
【００８１】
ステップ７１において、ＩＤ部分集合が搬送されるシステム情報ブロックを、同一のアクセスネットワークに属する異なる基地局から取得する。
【００８２】
ここで、異なるＩＤ部分集合は、異なるシステム情報ブロックにマッピングされる。すなわち、１つのＩＤ部分集合の放送に際し、当該ＩＤ部分集合を１つのシステム情報ブロックにマッピングするが、２つのＩＤ部分集合の放送に際し、当該２つのＩＤ部分集合をそれぞれ異なるシステム情報ブロックにマッピングする。このように、複数のシステム情報ブロックで複数のＩＤ部分集合を搬送することができる。なお、異なるＩＤ部分集合が搬送される異なるシステム情報ブロックに付帯されるほかのシステム情報は、同一であってもよく異なってもよい。
【００８３】
さらに、同一アクセスネットワークの異なるｅＮＢは、システム情報ブロックの送信時刻が異なる可能性がある（例えばＤＴｘＷが異なり、または時間が非同期である。）。セルの境界に位置するＵＥは、隣接ｅＮＢから放送されるシステム情報ブロックを同時に受信し、すなわち異なるｅＮＢから放送されるシステム情報ブロック中のＩＤ部分集合（短形式ＰＳＰ−ＩＤリスト）を受信することができる。
【００８４】
ステップ７２において、取得したＩＤ部分集合の和集合を、現在の所属する基地局にサポートされるアクセスのサービスプロバイダ情報として決定する。
【００８５】
異なるｅＮＢから受信するＩＤ部分集合を、所定のアルゴリズムによって、より多くのＰＳＰ−ＩＤを含む和集合を得、当該和集合を、現在の所属する基地局にサポートされるアクセスのサービスプロバイダ情報として決定する。本実施例において、ＩＤ部分集合の和集合を得る具体的なアルゴリズムについて限定しない。
【００８６】
ステップ７３において、サービスプロバイダ情報に基づいて、アクセス予定となるサービスプロバイダを選択する。
【００８７】
ユーザ機器ＵＥは、同一ネットワークの複数の基地局から送信されるＩＤ部分集合におけるサービスプロバイダＩＤに基づいてネットワークの選択を行う。特にＵＥが受信したＩＤ部分集合の数が２以上である場合、複数のＩＤ部分集合の和集合を得ることによって、より多くのサービスプロバイダＩＤを含む集合を得ることができる。これによって、ＵＥが基地局に問い合わせを要求するプロセスを減少させ、必要のないチャネルリソースの無駄使いを節約する。
【００８８】
図８に示すように、本発明の実施例によるＩＤ情報処理方法は、具体的に下記ステップを含む。
【００８９】
ステップ８１において、基地局から空きチャネルリソースを介して送信される少なくとも１つのＩＤ部分集合を取得する。
【００９０】
ここでいう空きチャネルリソースは、少なくとも、空き時領域リソース、空き周波数領域リソースまたはそれ以外の空きチャネルリソースを含む。すなわち、現在のＩＤ部分集合は、基地局が現在の空き時領域リソースまたは周波数領域リソースに基づいて放送され、すなわち、ユーザ機器が受信したＩＤ部分集合は、基地局から時分割多重化または周波数分割多重化方式で放送される。
【００９１】
例えば、ＵＥは、ＩＤ部分集合が搬送されるシステム情報ブロックを、現在の所属する基地局から異なる空きサブキャリアを介して受信する。ここで、異なるＩＤ部分集合は、異なるシステム情報ブロックにマッピングされ、異なる空きサブキャリアに伝送されるシステム情報ブロックが異なる。ユーザ機器がＬ（Ｌ≦Ｎ）個のキャリアで当該ｅＮＢから放送されるシステム情報ブロックを受信するとする。
【００９２】
または、ＵＥは、ＩＤ部分集合が搬送されるシステム情報ブロックを、現在の所属する基地局から異なる空きサブフレームを介して受信する。ここで、異なるＩＤ部分集合は、異なるシステム情報ブロックにマッピングされ、異なる空きサブフレームに伝送されるシステム情報ブロックが異なる。ユーザ機器は、複数の時刻で受信したＰＳＰ−ＩＤリストと組み合わせて現在のネットワークにサポートされるＰＳＰ−ＩＤの集合を得る。
【００９３】
ステップ８２において、取得したＩＤ部分集合の和集合を、現在の所属する基地局にサポートされるアクセスのサービスプロバイダ情報として決定する。
【００９４】
同一ｅＮＢから空きサブキャリアまたは空きサブフレームを介して受信するＩＤ部分集合を所定のアルゴリズムに従い和集合を得ることによって、より多くのＰＳＰ−ＩＤを含む集合を得、当該集合を現在の所属する基地局にサポートされるアクセスのサービスプロバイダ情報として決定する。例えば、ユーザ機器は、Ｌ個のキャリアで受信した短形式ＰＳＰ−ＩＤと組み合わせて現在のアクセスネットワーク（同一のネットワークＩＤがであり、ＮＨＮ−ＩＤ。）にサポートされる短形式のＰＳＰ−ＩＤの集合を得てもよく、時領域で隣接する複数のシステム情報ロックから受信するＰＳＰ−ＩＤリストと組み合わせて現在のネットワークにサポートされるＰＳＰ−ＩＤ集合を得てもよく、Ｌ個のキャリアおよび複数の時領域で隣接する複数のシステム情報ロックと組み合わせてもよい。なお、本実施例において、ＩＤ部分集合の和集合を得る具体的なアルゴリズムについて限定せず、和集合が得られる各種類のアルゴリズムがいずれも本発明の実施例に適用することができる。
【００９５】
ステップ８３において、サービスプロバイダ情報に基づいて、アクセス予定となるサービスプロバイダを選択する。
【００９６】
ここで、当該ステップ８３は、複数のアクセス方式を含む。
【００９７】
方式１：ユーザ機器のアクセス予定となるサービスプロバイダが存在するか、サービスプロバイダ情報から検索する。存在する場合、対応するサービスプロバイダを選択してアクセスするが、存在しない場合、放送されていないＩＤ情報の存在がシステム情報ブロックによって示されると、対応するサービスプロバイダを問い合わせるように現在の所属する基地局に要求してアクセスする。
【００９８】
すなわち、ＵＥは、受信したＩＤ部分集合に基づいて、現在のサービスプロバイダ情報を決定した後に、まず自身にサポートされるＰＳＰ−ＩＤに基づいて短形式ＰＳＰ−ＩＤを（例えばハッシュアルゴリズムによって）生成し、それから現在のネットワークにサポートされる短形式ＰＳＰ−ＩＤ集合から、サポートされる短形式ＰＳＰ−ＩＤがないか検索し、すなわち対応するＰＳＰ−ＩＤが存在するか当該サービスプロバイダ情報から検索する。存在する場合直接アクセスするように要求するが、存在しない場合、引き続き、システム情報ブロック中の識別子によって未放送のＰＳＰ−ＩＤの存在を指示するかを検出する。システム情報ブロック中の識別子によって未放送のＰＳＰ−ＩＤの存在を指示する場合、ＵＥは、問い合わせ操作によって未放送のＰＳＰ−ＩＤを基地局に問い合わせる。基地局は、問い合わせ要求に基づいて、未放送のＰＳＰ−ＩＤをユニキャストによってＵＥに通知し、ＵＥのアクセスを実現させる。
【００９９】
方式２：ユーザ機器のアクセス予定となるサービスプロバイダが存在するか、サービスプロバイダ情報から検索する。存在する場合、対応するサービスプロバイダを選択してアクセスするが、存在しない場合、取得したシステム情報ブロック数がシステム情報ブロックの送信総数より小さいとき、対応するサービスプロバイダを問い合わせるように現在の所属する基地局に要求してアクセスする。
【０１００】
すなわち、ＵＥは、受信したＩＤ部分集合に基づいて、現在のサービスプロバイダ情報を決定した後に、まず自身にサポートされるＰＳＰ−ＩＤに基づいて短形式ＰＳＰ−ＩＤを（例えばハッシュアルゴリズムによって）生成し、それから現在のネットワークにサポートされる短形式ＰＳＰ−ＩＤ集合から、サポートされている短形式ＰＳＰ−ＩＤがないか検索し、すなわち対応するＰＳＰ−ＩＤが存在するか当該サービスプロバイダ情報から検索する。存在する場合直接アクセスするように要求するが、存在しない場合、引き続き、現在受信したシステム情報ブロックの数とシステム情報ブロックの送信総数との関係を検出し、受信したシステム情報ブロックの数がシステム情報ブロックの送信総数より小さいとき、すなわち現在受信したＰＳＰ−ＩＤがすべてのＰＳＰ−ＩＤの一部であって必ず未放送のＰＳＰ−ＩＤが存在することを示す。ＵＥは、問い合わせ操作によって未放送のＰＳＰ−ＩＤを基地局に問い合わせる。基地局は、問い合わせ要求に基づいて、未放送のＰＳＰ−ＩＤをユニキャストによってＵＥに通知し、ＵＥのアクセスを実現させる。
【０１０１】
なお、方式１と方式２は、並列のアクセス方式であり、単独でアクセスネットワークシステムに応用してもよく、互いに組み合わせて同一のアクセスネットワークシステムに応用してもよい。基地局によるＩＤ部分集合の放送について、一つ前の所定時間内の１つまたは複数のＵＥによる未放送のサービスプロバイダＩＤの問い合わせ要求に基づいて、現在のＩＤ部分集合のグループおよび将来の時刻の放送方式を調整することが好ましい。具体的に、一つ前の所定期間内に、サービスプロバイダ１のＩＤ情報が放送されていなくて、複数のＵＥから当該サービスプロバイダＩＤの問い合わせをしたとすると、基地局は、当該サービスプロバイダ１のＩＤ情報の問い合わせ確率が高く放送価値が高いと見なし、次の放送で当該サービスプロバイダ１のＩＤ情報をＵＥに放送する。これによって、ＵＥの問い合わせ確率をさらに低くし、より多くのチャネルリソースを解放する。
【０１０２】
本実施例において、ユーザ機器ＵＥは、同一または異なる基地局から異なるサブフレームまたは異なるサブキャリアで送信されるＩＤ部分集合中のサービスプロバイダＩＤに基づいてネットワークの選択を行う。特にＵＥが受信したＩＤ部分集合の数が２以上である場合、複数のＩＤ部分集合の和集合を得ることによって、より多くのサービスプロバイダＩＤを含む集合を得ることができる。これによって、ＵＥが基地局に問い合わせを要求するプロセスを減少させ、必要のないチャネルリソースの無駄使いを節約する。
【０１０３】
上記実施例は、ユーザ機器側のＩＤ情報処理方法をそれぞれ紹介したが、以下の本実施例は、図面とともに、対応するＩＤ情報処理装置をさらに説明する。
【０１０４】
具体的に、図９に示すように、本発明の実施例のＩＤ情報処理装置９０は、ユーザ機器に応用され、具体的に、アクセス中のネットワークにサポートされるすべてのサービスプロバイダのＩＤのＩＤ集合の部分集合であるＩＤ部分集合を基地局から空きチャネルリソースを介して少なくとも１つ取得するための取得モジュール９１と、取得した前記少なくとも１つのＩＤ部分集合に基づいて、現在の所属する基地局にサポートされるアクセスのサービスプロバイダ情報を決定するための決定モジュール９２と、前記サービスプロバイダ情報に基づいて、アクセス予定となるサービスプロバイダを選択するための処理モジュール９３とを含む。選択可能に、取得した複数のＩＤ部分集合の和集合を、現在の所属する基地局にサポートされるアクセスのサービスプロバイダ情報として決定する。
【０１０５】
ここで、取得モジュール９１は、ＩＤ部分集合が搬送されるシステム情報ブロックを、同一のアクセスネットワークに属する異なる基地局から取得するための第１取得サブモジュールを含み、ここで、異なるＩＤ部分集合が異なるシステム情報ブロックにマッピングされる。
【０１０６】
ここで、取得モジュール９１は、基地局から空きチャネルリソースを介して送信される少なくとも１つのＩＤ部分集合を取得するための第２取得サブモジュールをさらに含む。
【０１０７】
ここで、第２取得サブモジュールは、ＩＤ部分集合が搬送されるシステム情報ブロックを、現在の所属する基地局から異なる空きサブキャリアを介して受信するための第１受信ユニットを含み、ここで、異なるＩＤ部分集合が異なるシステム情報ブロックにマッピングされ、異なる空きサブキャリアに伝送されるシステム情報ブロックが異なる。
【０１０８】
ここで、第２取得サブモジュールは、ＩＤ部分集合が搬送されるシステム情報ブロックを、現在の所属する基地局から異なる空きサブフレームを介して受信するための第２受信ユニットをさらに含み、ここで、異なるＩＤ部分集合が異なるシステム情報ブロックにマッピングされ、異なる空きサブフレームに伝送されるシステム情報ブロックが異なる。
【０１０９】
ここで、上記処理モジュール９３は、前記ユーザ機器のアクセス予定となるサービスプロバイダが存在するか、前記サービスプロバイダ情報から検索するための第１検索サブモジュールと、前記ユーザ機器のアクセス予定となるサービスプロバイダが前記サービスプロバイダ情報に存在しない場合、放送されていないＩＤ情報の存在がシステム情報ブロックによって示されると、対応するサービスプロバイダを問い合わせるように現在の所属する基地局に要求してアクセスするための第１アクセスサブモジュールとを含む。
【０１１０】
ここで、上記処理モジュール９３は、前記ユーザ機器のアクセス予定となるサービスプロバイダが存在するか、前記サービスプロバイダ情報から検索するための第２検索サブモジュールと、前記ユーザ機器のアクセス予定となるサービスプロバイダが前記サービスプロバイダ情報に存在しない場合、取得したシステム情報ブロック数がシステム情報ブロックの送信総数より小さいとき、対応するサービスプロバイダを問い合わせるように現在の所属する基地局に要求してアクセスするための第２アクセスサブモジュールとを含む。
【０１１１】
本発明の当該装置の実施例は、上記方法の実施例に対応する装置であり、上記方法の実施例におけるすべての実現手段がいずれも当該装置の実施例に適用し、しかも同一の技術効果を達成することができる。
【０１１２】
上記のユーザ機器側に応用されるＩＤ情報処理方法に対応して、本実施例による対応するユーザ機器は、図１０に示すように、具体的に、アクセス中のネットワークにサポートされるすべてのサービスプロバイダのＩＤのＩＤ集合の部分集合であるＩＤ部分集合を基地局から少なくとも１つ取得するための受信機１０１と、前記受信機に接続され、メモリに記憶されているデータまたは指令を実行することによって、取得した少なくとも１つのＩＤ部分集合に基づいて、現在の所属する基地局にサポートされるアクセスのサービスプロバイダ情報を決定する（例えば、取得したＩＤ部分集合の和集合をサービスプロバイダ情報として決定する。）ことと、前記サービスプロバイダ情報に基づいて、アクセス予定となるサービスプロバイダを選択することとを実現するためのプロセッサ１０２とを含む。
【０１１３】
ここで、プロセッサは、上記装置の実施例におけるすべてのモジュールで実現される機能を実現するように配置され、上記装置の実施例による同一の技術効果を達成することもできる。ここでは繰り返して記載せず、具体的に上記実施例を参照されたい。
【０１１４】
上記実施例において、プロセッサは、信号処理力を有する集積回路チップである。実現過程において、上記方法の各ステップは、プロセッサ１００１におけるハードウェアの集積論理回路またはソフトウェア形式の指令によって遂行される。プロセッサ１００１は、ＣＰＵ（Ｃｅｎｔｒａｌ  Ｐｒｏｃｅｓｓｉｎｇ  Ｕｎｉｔ）、ＮＰ（Ｎｅｔｗｏｒｋ  Ｐｒｏｃｅｓｓｏｒ）などを含む汎用プロセッサ、ＤＳＰ（Ｄｉｇｉｔａｌ  Ｓｉｇｎａｌ  Ｐｒｏｃｅｓｓｉｎｇ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）または他のプログラマブル論理デバイス、分離ゲートまたはトランジスタ論理デバイス、分離ハードウェアコンポーネントであり、本発明の実施例における各方法、ステップおよび論理ブロック図を実現または実行することができる。汎用プロセッサは、マイクロプロセッサまたは任意の通常プロセッサなどである。
【０１１５】
なお、本発明の装置および方法において、明らかに、各部材または各ステップの分解および／または新たな組み合わせが可能である。これらの分解および／または新たな組み合わせは、本発明の同等効果の手段と見なされるべきである。しかも、上記一連の処理を実行するステップは、自然的に説明の順番で時間順に実行されてもよいが、必ず時間順に実行されるという必要がない。一部のステップは、並行にまたは互いに独立に実行されてもよい。
【０１１６】
例示的に、図１１に示すように、以下、本発明の実施例によるＩＤ情報処理方法のやり取りのフローチャートである。
【０１１７】
ステップ１１０１において、基地局は、アクセス中のネットワークにサポートされるすべてのサービスプロバイダＩＤからなるＩＤ集合を取得する。
【０１１８】
ステップ１１０２において、基地局は、ＩＤ集合を複数のＩＤ部分集合に区分する。
【０１１９】
選択可能に、異なるＩＤ部分集合におけるサービスプロバイダＩＤの数は、同一であってもよく異なってもよい。異なるＩＤ部分集合におけるサービスプロバイダＩＤは、重なってもよく重ならなくてもよい。なお、本発明において、部分集合の数および各部分集合における元素（サービスプロバイダＩＤ）の数について具体的に限定しない。
【０１２０】
ステップ１１０３において、基地局は、複数のＩＤ部分集合のうちの少なくとも１つをＵＥに送信する。
【０１２１】
選択可能に、基地局は、空きチャネルリソースを介して当該少なくとも１つのＩＤ部分集合を送信する。具体的に、基地局は、１つのＩＤ部分集合が１つのシステム情報ブロックにマッピングされるように、少なくとも１つのＩＤ部分集合を対応するシステム情報ブロックにマッピングし、ＩＤ部分集合が搬送されるシステム情報ブロックを空きチャネルリソースを介してＵＥに送信する。当該空きチャネルリソースは、空きサブキャリアおよび／または空きサブフレームである。
【０１２２】
ステップ１１０４において、ＵＥは、ステップ１１０３で受信した少なくとも１つのＩＤ部分集合に基づいて、現在の所属する基地局にサポートされるアクセスのサービスプロバイダ情報を決定する。
【０１２３】
選択可能に、取得した少なくとも１つのＩＤ部分集合の和集合をサービスプロバイダ情報として決定する。
【０１２４】
ステップ１１０５において、ＵＥは、サービスプロバイダ情報に基づいて、アクセス予定となるサービスプロバイダを選択する。
【０１２５】
ＵＥは、サービスプロバイダ情報からアクセス予定となるサービスプロバイダを見つけず、または未放送のＩＤ情報の存在が基地局から送信されるシステム情報ブロックによって指示されると、基地局に問い合わせ要求を送信する（ステップ１１０６）。基地局は、問い合わせて得たサービスプロバイダのＩＤをＵＥに送信する（ステップ１１０７）。
【０１２６】
具体的な例は、上記実施例を参照されたく、ここでは繰り返して記載しない。
【０１２７】
本発明の実施例は、上記基地局とＵＥを含むＩＤ情報処理システムをさらに提供する。
【０１２８】
以上の記載は、本発明の好適な実施形態である。なお、当業者にとって、本発明に記載される原理から逸脱することなく、若干の改良や修飾を行うことができる。これらの改良や修飾も、本発明の保護範囲とみなされるべきである。
【図１】
2019507528.tif 000003
【図２】
2019507528.tif 000004
【図３】
2019507528.tif 000005
【図４】
2019507528.tif 000006
【図５】
2019507528.tif 000007
【図６】
2019507528.tif 000008
【図７】
2019507528.tif 000009
【図８】
2019507528.tif 000010
【図９】
2019507528.tif 000011
【図１０】
2019507528.tif 000012
【図１１】
2019507528.tif 000013
【国際調査報告】
2019507528.tif 000014
2019507528.tif 000015
2019507528.tif 000016
2019507528.tif 000017